(57)【要約】【課題】光源装置のコネクタを効果的に冷却することができるプロジェクタを提供すること。【解決手段】プロジェクタは、光源装置５を収納する光源収納部（光源収納部材）４７を備えた筐体２を備える。光源収納部４７は、底面部４７１と、底面部４７１から起立し、開口部４７３１を有する第１の起立部４７３とを備える。光源装置５は、光を射出する光源ランプ５０と、当該光源ランプ５０を内部に収納する収納体５４と、収納体５４の外部に露出して設けられるコネクタ５５とを備える。そして、開口部４７３１を介して光源収納部４７内に導入され、コネクタ５５を冷却する冷却空気の流路が、収納体５４及び光源収納部４７の少なくともいずれか一方により形成されている。【選択図】図１４
2010038975.tif 000002
【特許請求の範囲】
【請求項１】
光源装置から射出された光束を変調して画像光を形成し、当該画像光を投射するプロジェクタであって、
前記光源装置を内部に収納する光源収納部を備えた筐体を備え、
前記光源収納部は、
底面部と、
前記底面部から起立し、開口部を有する第１の起立部とを備え、
前記光源装置は、
光を射出する光源ランプと、
前記光源ランプを内部に収納する収納体と、
前記収納体の外部に露出して設けられるコネクタとを備え、
前記開口部を介して前記光源収納部内に導入され、前記コネクタを冷却する冷却空気の流路が、前記収納体及び前記光源収納部の少なくともいずれか一方により形成されていることを特徴とするプロジェクタ。
【請求項２】
請求項１に記載のプロジェクタにおいて、
前記収納体における前記開口部端縁に応じた面には、当該開口部を囲むように突出する突出部が形成され、
前記コネクタは、前記突出部により囲まれる領域内に配置されていることを特徴とするプロジェクタ。
【請求項３】
請求項１又は請求項２に記載のプロジェクタにおいて、
前記コネクタと、当該コネクタに対向する前記収納体の端面との間には、前記コネクタを冷却する前記冷却空気の流路の一部を形成する空隙が形成されていることを特徴とするプロジェクタ。
【請求項４】
請求項１から請求項３のいずれかに記載のプロジェクタにおいて、
前記光源収納部は、前記底面部及び前記第１の起立部に交差し、前記底面部から起立する第２の起立部を備え、
前記コネクタが配置される前記冷却空気の流路は、前記底面部、前記第１の起立部、前記第２の起立部及び前記収納体により囲まれる空間内に形成され、
前記空間は、前記第１の起立部側とは前記光源装置を挟んで反対側に延出していることを特徴とするプロジェクタ。
【請求項５】
請求項１から請求項４のいずれかに記載のプロジェクタにおいて、
前記筐体内に収納され、前記光源装置に冷却空気を送風する冷却ファンを備え、
前記冷却ファンは、前記第１の起立部側とは前記光源装置を挟んで反対側に、前記光源収納部に吸気面を対向させるように当該光源収納部に隣接して配置されることを特徴とするプロジェクタ。
【発明の詳細な説明】
【技術分野】
【０００１】
本発明は、プロジェクタに関する。
【背景技術】
【０００２】
従来、光源装置から射出された光束を変調して、画像情報に応じた画像光を形成し、当該画像光を拡大投射するプロジェクタが知られている。このようなプロジェクタの光源装置には、超高圧水銀ランプ等の放電光源ランプが採用される場合が多い。そして、この光源ランプは、寿命等により交換が必要なため、外装筐体に形成された開口を介して、交換できるように構成されている。
【０００３】
近年、このような光源ランプの高輝度化が進み、光源装置で発生する熱が高くなっている。このような熱は、光源ランプの寿命を短くするため、当該光源ランプを適切に冷却する必要がある。このような問題から、光源ランプに冷却空気を送風して、当該光源装置を冷却するプロジェクタが知られている（例えば、特許文献１参照）。
この特許文献１に記載のプロジェクタは、外装ケース内に、複数の冷却ファンを備えるとともに、基板等により形成された通風路を有している。そして、これら冷却ファンの駆動により外装ケース内に取り込まれた冷却空気は、通風路を通って光源装置に送風され、当該光源装置を冷却した後、外装ケース外に排出される。
【０００４】
【特許文献１】特開２００３−３３０１１７号公報
【発明の開示】
【発明が解決しようとする課題】
【０００５】
しかしながら、前述の特許文献１に記載の構成では、光源ランプに電力を供給するためのコネクタに冷却空気が適切に流通しない可能性があり、この場合には、コネクタの冷却が不十分となる。このようにコネクタの冷却が十分に行われないと、コネクタに変形が生じるなどして抜去力が上昇し、光源ランプの交換が困難になるという問題がある。このため、効果的にコネクタを冷却できる構成が望まれてきた。
【０００６】
本発明の目的は、光源装置のコネクタを効果的に冷却することができるプロジェクタを提供することである。
【課題を解決するための手段】
【０００７】
前記した目的を達成するために、本発明のプロジェクタは、光源装置から射出された光束を変調して画像光を形成し、当該画像光を投射するプロジェクタであって、前記光源装置を内部に収納する光源収納部を備えた筐体を備え、前記光源収納部は、底面部と、前記底面部から起立し、開口部を有する第１の起立部とを備え、前記光源装置は、光を射出する光源ランプと、前記光源ランプを内部に収納する収納体と、前記収納体の外部に露出して設けられるコネクタとを備え、前記開口部を介して前記光源収納部内に導入され、前記コネクタを冷却する冷却空気の流路が、前記収納体及び前記光源収納部の少なくともいずれか一方により形成されていることを特徴とする。
【０００８】
本発明によれば、開口部から導入されてコネクタを冷却する冷却空気の流路が、光源装置の収納体及び筐体の光源収納部の少なくともいずれかにより形成されている。これによれば、当該コネクタに、光源収納部外の比較的温度の低い冷却空気を送風することができる。従って、コネクタを確実かつ適切に冷却することができる。また、コネクタを冷却する冷却空気の流路が、光源ランプを冷却する冷却空気の流路とは別に形成されていれば、当該光源ランプを冷却して熱せられた冷却空気がコネクタに送風されることがないので、より効果的にコネクタを冷却することができる。
【０００９】
本発明では、前記収納体における前記開口部端縁に応じた面には、当該開口部を囲むように突出する突出部が形成され、前記コネクタは、前記突出部により囲まれる領域内に配置されていることが好ましい。
本発明によれば、収納体に形成された突出部が、光源収納部内に光源装置を収納した際に、当該光源収納部を構成する起立部の開口部端縁を囲むように位置するので、当該突出部がダクトとなって、開口部からの冷却空気を効率よく光源収納部内に導入することができる。また、この突出部により囲まれた領域に、コネクタが配置されていることにより、開口部を介して導入された冷却空気を、当該コネクタにより確実に送風することができる。従って、コネクタの冷却効率を向上することができる。
【００１０】
本発明では、前記コネクタと、当該コネクタに対向する前記収納体の端面との間には、前記コネクタを冷却する前記冷却空気の流路の一部を形成する空隙が形成されていることが好ましい。
本発明によれば、空隙を冷却空気が流通することで、コネクタの露出した面側だけでなく、収納体に対向する面側を冷却することができ、当該コネクタの冷却効率を一層向上することができる。
また、光源ランプの点灯に際して収納体にて熱が生じるが、本発明では、空隙により、収納体の熱をコネクタに伝導しにくくすることができる。従って、コネクタの温度上昇を一層抑制することができる。
【００１１】
本発明では、前記光源収納部は、前記底面部及び前記第１の起立部に交差し、前記底面部から起立する第２の起立部を備え、前記コネクタが配置される前記冷却空気の流路は、前記底面部、前記第１の起立部、前記第２の起立部及び前記収納体により囲まれる空間内に形成され、前記空間は、前記第１の起立部側とは前記光源装置を挟んで反対側に延出していることが好ましい。
本発明によれば、コネクタを冷却する冷却空気は、開口部から導入された後、光源収納部の底面部及び第２の起立部に沿って、第１の起立部側とは光源装置を挟んで反対側に向かって流通する。これによれば、当該冷却空気の流路が複雑に曲折することがないので、光源収納部内で冷却空気が滞留することを抑制することができる。従って、冷却空気を効率よく流通させることができ、コネクタを効果的に冷却することができる。
【００１２】
本発明では、前記筐体内に収納され、前記光源装置に冷却空気を送風する冷却ファンを備え、前記冷却ファンは、前記第１の起立部側とは前記光源装置を挟んで反対側に、前記光源収納部に吸気面を対向させるように当該光源収納部に隣接して配置されることが好ましい。
ここで、冷却ファンが、第１の起立部に対向するように設けられ、開口部に向かって冷却空気を送風する場合には、光源装置及び光源収納部の凹凸に当たることで冷却空気の風圧が低下し、適切にコネクタに送風されない場合がある。
これに対し、本発明では、冷却ファンは、吸気面を光源収納部に対向させるように、開口部が形成された第１の起立部側とは光源装置を挟んで反対側に設けられていることにより、開口部から、冷却ファンの吸気面に向かって冷却空気を確実に流通させることができる。従って、当該冷却空気の流路上に位置するコネクタに、確実に冷却空気を送風することができ、当該コネクタの冷却効率をより一層向上することができる。
【発明を実施するための最良の形態】
【００１３】
以下、本発明の一実施形態を図面に基づいて説明する。
〔プロジェクタの外観構成〕
図１は、本実施形態に係るプロジェクタ１を前面側から見た斜視図である。
本実施形態に係るプロジェクタ１は、光源装置から射出された光束を変調して、画像情報に応じた画像光を形成し、当該画像光をスクリーン等の投射面（図示省略）上に拡大投射するものである。このプロジェクタ１は、図１に示すように、外装を構成する外装筐体２を備えている。
【００１４】
外装筐体２は、プロジェクタ１の装置本体３（図２参照）を内部に収納する合成樹脂製の筐体である。この外装筐体２は、プロジェクタ１の天面部２Ａ、前面部２Ｂ、背面部２Ｃ及び両側面部２Ｄ，２Ｅをそれぞれ構成するアッパーケース２１と、プロジェクタ１の底面部２Ｆ、前面部２Ｂ、背面部２Ｃ及び両側面部２Ｄ，２Ｅをそれぞれ構成するロアーケース２２とが組み合わされて構成されている。
天面部２Ａにおける背面側略中央には、プロジェクタ１を操作するための複数のキーが配設された操作パネル２Ａ１が設けられ、また、当該操作パネル２Ａ１の左側（図１における左側）には、後述する光源装置５を交換するための開口部２Ａ２が形成されている。この開口部２Ａ２は、天面部２Ａに着脱自在に設けられたカバー２Ａ３により、閉塞されている。
【００１５】
前面部２Ｂにおける右側（図１における右側）には、後述する投射光学装置４５が露出する略矩形の開口２Ｂ１が形成されており、当該開口２Ｂ１を介して、投射光学装置４５から画像光が投射される。
前面部２Ｂにおける左側には、外装筐体２内の装置本体３を冷却した冷却空気が排出される排気口２Ｂ２が形成され、当該排気口２Ｂ２には、格子状のルーバ２Ｂ３が設けられている。
【００１６】
〔プロジェクタの内部構成〕
図２は、外装筐体２内の構成を示す模式図である。
装置本体３は、図２に示すように、光学ユニット４及び冷却装置６等を備えている。また、装置本体３は、図示を省略したが、プロジェクタ１の各構成部材に電力を供給する電源装置、及び、プロジェクタ１の各構成部材の動作を制御する制御装置等を備えている。
このうち、冷却装置６は、複数のファン６１〜６４により構成され、光学ユニット４、電源装置及び制御装置に、外装筐体２外から導入した空気を送風して、これら各装置を冷却する。これら複数のファン６１〜６５のうち、後述する投射光学装置４５を挟むように配置された一対のファン６１，６２は、シロッコファンで構成され、外装筐体２に形成された吸気口（図示省略）から外部の冷却空気を導入し、当該冷却空気を光学ユニット４の後述する液晶パネル４４２及び偏光板４４３，４４５に送風する。
【００１７】
また、後述する光源収納部材４７を挟むように配置された一対のファン６３，６４のうち、プロジェクタ１の背面部２Ｃ側に位置するファン６３はシロッコファンで構成され、外装筐体２内の空気を吸引して、光源収納部材４７内に収納された光源装置５に送風する。また、本発明の冷却ファンとしてのファン６４は軸流ファンで構成され、吸気面を光源収納部材４７に対向させるように配置される。そして、当該ファン６４は、光源収納部材４７内の空気を吸引して、プロジェクタ１の前面部２Ｂ側に排出し、ひいては当該空気を、排気口２Ｂ２を介して外装筐体２外に排出する。なお、ファン６３は軸流ファンであってもよく、ファン６４はシロッコファンであってもよい。
【００１８】
〔光学ユニットの構成〕
光学ユニット４は、前述の制御装置による制御の下、画像情報に応じて画像光を形成する。この光学ユニット４は、光源装置５、照明光学装置４１、色分離光学装置４２、リレー光学装置４３、光学装置４４、投射光学装置４５、光学部品用筐体４６及び光源収納部材４７を備えている。
光源装置５は、発光管５１、及び、当該発光管５１から射出された光を反射して光束として射出する反射鏡５２を有する光源ランプ５０と、平行化凹レンズ５３とを備えるほか、これらを内部に収納する収納体５４と、光源ランプ５０に電力を供給する装置側コネクタ５５とを備えている。このうち、反射鏡５２は、可視光を反射し、かつ、赤外線及び紫外線を透過するコールドミラーとして形成されている。なお、収納体５４及び装置側コネクタ５５については、後に詳述する。
【００１９】
照明光学装置４１は、一対のレンズアレイ４１１，４１２、偏光変換素子４１３及び重畳レンズ４１４を備えている。
色分離光学装置４２は、ダイクロイックミラー４２１，４２２及び反射ミラー４２３を備え、リレー光学装置４３は、入射側レンズ４３１、リレーレンズ４３３及び反射ミラー４３２，４３４を備えている。
【００２０】
光学装置４４は、フィールドレンズ４４１と、光変調装置としての３つの液晶パネル４４２（赤色光用の液晶パネルを４４２Ｒ、緑色光用の液晶パネルを４４２Ｇ、青色光用の液晶パネルを４４２Ｂとする）と、それぞれ３つの入射側偏光板４４３、視野角補償板４４４及び射出側偏光板４４５と、色合成光学装置としてのクロスダイクロイックプリズム４４６とを備えている。
投射光学装置４５は、筒状の鏡筒内に複数のレンズが収納された組レンズとして構成され、光学装置４４により形成された画像光を投射面上に拡大投射する。
【００２１】
部品収納部材４６は、上記各光学装置４１〜４４を内部に収納する平面視略Ｌ字形状に形成された箱状筐体である。この部品収納部材４６には、内部に設定された照明光軸Ａに対する所定位置に、当該各光学装置４１〜４４を配置及び収納する。
光源収納部材４７は、部品収納部材４６の一端に接続され、内部に光源装置５を収納する。この光源収納部材４７の外装筐体２内での配置位置は、前述の開口２Ｂ１に対応する位置である。なお、光源収納部材４７については、後に詳述する。
【００２２】
このような光学ユニット４では、上記した構成により、光源装置５から射出された光束は、照明光学装置４１により照明領域内の照度が均一化された後、色分離光学装置４２にてＲ（赤），Ｇ（緑），Ｂ（青）の３つの色光に分離される。これら分離された各色光は、各液晶パネル４４２にて画像情報に応じてそれぞれ変調され、色光毎の画像光が形成される。そして、色光毎の画像光は、クロスダイクロイックプリズム４４６にて合成され、投射光学装置４５により投射面上に拡大投射される。
【００２３】
〔光源装置の構成〕
図３〜図５は、光源装置５を示す斜視図である。具体的に、図３及び図４は、光源装置５を光束射出側から見た斜視図であり、また、図５は、光源装置５を光束射出側とは反対側から見た斜視図である。なお、以下の図及び説明で、プロジェクタ１を水平面上に載置した際に、水平方向に沿い、かつ、光源装置５からの光束射出方向をＺ方向とする。また、当該Ｚ方向に直交する方向のうち、水平方向に沿い、かつ、Ｚ方向基端側から見て当該Ｚ方向に対する右方向をＸ方向とし、これらＺ方向及びＸ方向に直交する上方向をＹ方向とする。すなわち、Ｘ，Ｙ，Ｚで示される各方向は、それぞれ互いに直交する。
【００２４】
光源装置５は、前述のように、発光管５１及び反射鏡５２を有する光源ランプ５０と、平行化凹レンズ５３（ともに図２参照）と、これらを内部に収納する収納体５４と、当該収納体５４の外部に露出して設けられた装置側コネクタ５５とを備え、ユニットとして構成されている。
このうち、収納体５４は、図３〜図５に示すように、収納体本体５４１と、当該収納体本体５４１のＺ方向先端側を覆う第１カバー５４２と、Ｚ方向基端側を覆う第２カバー５４３と、収納体本体５４１内に冷却空気を導入するダクト部材５４４とを備えて構成されている。
【００２５】
収納体本体５４１は、合成樹脂製の筒状部材であり、光反射面として形成された回転楕円面の略中央に発光管５１が固定された反射鏡５２を保持して、光源ランプ５０を内部に収納する。この収納体本体５４１のＺ方向先端側には、内部に収納された光源ランプ５０からの光束が透過する略円形状の光透過口（図示省略）が形成されている。この光透過口は、図３及び図４に示すように、側面視略Ｃ字状の金属製の第１カバー５４２に保持された平行化凹レンズ５３により閉塞される。この第１カバー５４２は、収納体本体５４１のＺ方向先端側の端部に形成され、かつ、Ｙ方向先端側及び基端側に突出する係止爪５４１１（Ｙ方向基端側に突出する係止爪は図示省略）により係止される。
また、収納体本体５４１のＹ方向先端側の端面（上面）５４１Ａにおける略中央には、後述する光源収納部材４７に対して光源装置５を挿抜する際に利用される略Ｕ字状の把手５４１２が形成されている。
【００２６】
収納体本体５４１のＸ方向基端側には、当該収納体本体５４１内に冷却空気を導入する導入口（図示省略）が形成され、当該導入口は、ダクト部材５４４により覆われている。
このダクト部材５４４は、図３に示すように、収納体本体５４１のＸ方向基端側の端面５４１ＣにおけるＹ方向先端側を覆うように取り付けられ、当該ダクト部材５４４のＸ方向基端側に形成された開口部５４４１は、前述のファン６３の送風口と接続される。そして、このダクト部材５４４は、ファン６３から送風された冷却空気を、収納体本体５４１の導入口に導く。この冷却空気は、収納体本体５４１内の光源ランプ５０を冷却する。
【００２７】
一方、収納体本体５４１のＸ方向先端側には、図４に示すように、略矩形の排気口５４１３が形成されている。この排気口５４１３を介して、光源ランプ５０を冷却して熱せられた冷却空気は、前述のファン６４に吸引され、収納体本体５４１外に排出される。
なお、これら開口部５４４１（図３）及び排気口５４１３（図４）の内側には、詳しい図示を省略したが、金属製のメッシュが設けられており、発光管５１が破裂した場合に、破片が外部に飛散することを防いでいる。
【００２８】
収納体本体５４１のＺ方向基端側には、図５に示すように、収納体本体５４１と同じ材料により構成された第２カバー５４３が取り付けられている。この第２カバー５４３は、Ｘ方向及びＺ方向に沿って延出し、かつ、互いに対向する一対の延出部５４３１，５４３２と、これら延出部５４３１，５４３２のＺ方向基端側端部間を接続し、かつ、Ｙ方向に沿って延出する接続部５４３３とを備え、側面視略Ｃ字状に形成されている。
【００２９】
この第２カバー５４３は、Ｙ方向先端側に位置する延出部５４３１が、収納体本体５４１の端面５４１Ａに沿い、かつ、延出部５４３２が、収納体本体５４１のＹ方向基端側の端面（底面）５４１Ｂに沿うように、当該収納体本体５４１にねじにより取り付けられる。このような第２カバー５４３により、収納体本体５４１のＺ方向基端側、詳述すると、当該収納体本体５４１に固定された反射鏡５２のＺ方向基端側が覆われることで、発光管５１の点灯により熱を帯びた反射鏡５２、及び、当該発光管５１に接続された配線等が触れられることを防いでいる。また、この延出部５４３２は、後述する光源収納部材４７（図８〜１０参照）及び外装筐体２の内側の底面２Ｇ（図１２〜図１４参照）とともに、後述する装置側コネクタ５５の冷却流路を形成する。この冷却流路については、後に詳述する。
【００３０】
図６は、収納体本体５４１に形成されたコネクタ収納部５４１４を拡大して示す斜視図である。また、図７は、図６の一部を破断させて示す斜視図である。
収納体本体５４１のＺ方向基端側には、図３及び図５に示すように、コネクタ収納部５４１４が形成され、当該コネクタ収納部５４１４内には、後述する光源収納部材４７内に設けられた本体側コネクタ２３（図１１〜図１４参照）に接続される装置側コネクタ５５が設けられている。
このうち、装置側コネクタ５５は、本発明のコネクタに相当し、図６及び図７に示すように、全体略直方体形状に形成され、当該装置側コネクタ５５の外面には、Ｚ方向先端側及び基端側に延出する一対の延出部５５１が形成されている。また、当該装置側コネクタ５５におけるＹ方向基端側の端部には、本体側コネクタ２３が嵌合される略矩形の開口部５５２が形成され、当該開口部５５２内には、一対の電極５５３が設けられている。
【００３１】
コネクタ収納部５４１４は、一対の起立部５４１５，５４１６、接続部５４１７及び間隔保持部５４１８を備えて構成されている。
一対の起立部５４１５，５４１６は、収納体本体５４１の端面５４１Ｃから、Ｙ方向に沿い、かつ、Ｘ方向基端側に向かって起立しており、これら起立部５４１５，５４１６は、所定の間隔を隔てて互いに平行に配置されている。このうち、Ｚ方向先端側に位置する起立部５４１５には、装置側コネクタ５５を固定するための固定部５４１５１（図６）が形成され、一対の起立部５４１５，５４１６間に装置側コネクタ５５を配置した状態で、ねじＳＣを固定部５４１５１に螺合させることで、当該ねじＳＣの頭部により延出部５５１が係止され、ひいては、装置側コネクタ５５が固定される。
【００３２】
接続部５４１７は、図６及び図７に示すように、一対の起立部５４１５，５４１６におけるＹ方向略中央間を接続するように、端面５４１Ｃから起立して形成されている。この接続部５４１７のＸ方向基端側の端部は、一対の起立部５４１５，５４１６のＸ方向基端側の端部と面一である。また、接続部５４１７は、図７に示すように、Ｘ方向先端側に向かうに従って、すなわち、各起立部５４１５，５４１６のＸ方向基端側の端部から端面５４１Ｃに近接するに従って、Ｙ方向基端側に近接する湾曲形状を有している。
このような接続部５４１７と、上記一対の起立部５４１５，５４１６とにより囲まれたＹ方向基端側の領域がコネクタ収納部５４１４として形成されている。
【００３３】
この接続部５４１７には、装置側コネクタ５５と発光管５１とを接続するケーブル５６を係止するための平面視略Ｔ字状の切欠５４１７１が形成されている。
これら接続部５４１７及び起立部５４１５，５４１６のＸ方向基端側の端部は、後述する光源収納部材４７に光源装置５が収納された際に、当該光源収納部材４７に形成された開口部４７３１の端縁に向かって延出し、装置側コネクタ５５を冷却する冷却空気の流路を形成する。すなわち、当該起立部５４１５，５４１６及び接続部５４１７は、本発明の突出部に相当する。
【００３４】
間隔保持部５４１８は、コネクタ収納部５４１４内に配置された装置側コネクタ５５と端面５４１Ｃとの間に、接続部５４１７と所定の間隔を隔てて、収納体本体５４１に設けられている。この間隔保持部５４１８には、Ｙ方向に貫通する一対の貫通孔５４１８１が形成されている。すなわち、装置側コネクタ５５と端面５４１Ｃとの間には、Ｙ方向先端側から基端側に向かって冷却空気が流通する空隙ＧＡが形成されている。
【００３５】
〔光源収納部材の構成〕
図８〜図１０は、光源収納部材４７を示す図である。具体的に、図８及び図９は、光源収納部材４７をＺ方向先端側で、かつ、Ｘ方向先端側及び基端側から見た斜視図であり、図１０は、光源収納部材４７をＹ方向先端側から見た平面図である。なお、これら図８〜図１０にて示すＸ，Ｙ，Ｚ方向は、前述のＸ，Ｙ，Ｚ方向とそれぞれ同方向である。
光源収納部材４７は、外装筐体２の内に配置されて、光源収納部を形成する。この光源収納部材４７は、当該外装筐体２の内側の底面２Ｇ（図１２〜図１４参照）上に載置される底面部４７１と、Ｙ方向に沿って起立し、かつ、Ｚ方向基端側、Ｘ方向先端側及び基端側に位置する起立部４７２〜４７４とにより、平面視略Ｕ字状に形成されている。換言すると、光源収納部材４７のＹ方向先端側及びＺ方向先端側には、開口部４７Ａ，４７Ｂが形成されており、当該開口部４７Ａを介して、Ｙ方向に沿って光源収納部材４７に光源装置５が挿抜され、また、開口部４７Ｂを介して光源装置５からＺ方向先端側に向かって光束が射出される。
【００３６】
底面部４７１のＺ方向先端側には、リブ４７１２により囲まれた平面視略矩形状の平坦部４７１１が形成されている。これらリブ４７１２のうち、Ｘ方向基端側のリブ４７１２Ａは、光源収納部材４７内に光源装置５を収納した際に、前述のダクト部材５４４に設けられた開口部５４４１の端縁と略同じ位置まで延出している（図１１参照）。また、Ｚ方向基端側のリブ４７１２Ｂには、光源収納部材４７内に光源装置５を収納した際に、端面５４１Ｂ，５４１Ｃと、延出部５４３２のＹ方向基端側の端面とが当接する。
【００３７】
底面部４７１には、平坦部４７１１のＺ方向基端側の端縁における略中央からＹ方向先端側に向かって起立した後、Ｚ方向基端側に向かって屈曲して起立部４７２に接続される屈曲部４７１３が形成されている。この屈曲部４７１３は、Ｘ方向先端側に向かうに従って、Ｙ方向先端側への寸法が大きくなるように傾斜している。この屈曲部４７１３は、収納された光源装置５の延出部５４３２と接続され、前述の装置側コネクタ５５を冷却する冷却空気の流路を形成する。
【００３８】
底面部４７１におけるＺ方向基端側で、かつ、Ｘ方向基端側の角部には、Ｙ方向先端側に突出する突出部４７１４が形成され、当該突出部４７１４には、Ｘ方向基端側に位置する起立部４７３側に開口し、かつ、光源収納部材４７の中央に向かって凹んだ凹部４７１５が形成されている。この凹部４７１５内には、本体側コネクタ２３（図１１〜図１４参照）が配置される。
起立部４７２〜４７４のうち、Ｚ方向基端側に位置する板状の起立部４７２は、本発明の第２の起立部に相当し、光源装置５のＺ方向基端側を覆うように形成され、収納された光源装置５の接続部５４３３が当接する。
【００３９】
図１１は、起立部４７３に形成された開口部４７３１と装置側コネクタ５５との位置を示す斜視図である。
Ｘ方向基端側に位置する起立部４７３は、本発明の第１の起立部に相当し、収納された光源装置５のＺ方向基端側の領域を覆うように形成されている。この起立部４７３には、コネクタ収納部５４１４に応じた位置に、略矩形の開口部４７３１が形成されており、当該開口部４７３１のＹ方向基端側は、凹部４７１５と接続されている。この起立部４７３の内側（起立部４７４に対向する側）における開口部４７３１の端縁には、収納された光源装置５の一対の起立部５４１５，５４１６及び接続部５４１７のＸ方向基端側の端部が近接配置される。このため、光源収納部材４７内に光源装置５を収納した場合には、図１１に示すように、開口部４７３１から、装置側コネクタ５５が光源収納部材４７の外部に露出する。
【００４０】
起立部４７４は、図８〜図１０に示すように、屈曲部４７１３から所定の間隔を隔ててＸ方向先端側に形成されている。この起立部４７４には、略矩形の開口部４７４１が形成され、当該開口部４７４１を覆うように、起立部４７４の外側にファン６４が取り付けられる。このファン６４により、開口部４７４１を介して光源収納部材４７内の空気が吸引される。
また、起立部４７４のＹ方向基端側の端部には、図８及び図１０に示すように、Ｘ方向先端側に向かって突出する一対の突出部４７４２が形成され、当該各突出部４７４２には孔部４７４３が形成されている。この孔部４７４３には、光源収納部材４７を外装筐体２に固定するねじが挿通する。
【００４１】
〔装置側コネクタの冷却流路〕
図１２及び図１３は、光源収納部材４７と光源装置５との位置関係を示す図である。具体的に、図１２及び図１３は、光源装置５及び光源収納部材４７を示す断面図である。
装置側コネクタ５５は、前述のように、収納体５４内を流通して光源ランプ５０を冷却する冷却空気の流路とは異なる冷却空気の流路により冷却される。
具体的に、図１２及び図１３に示すように、装置側コネクタ５５を冷却する冷却空気は、ファン６４の駆動により、開口部４７３１を介して、光源収納部材４７の内面、収納体本体５４１及び第２カバー５４３の外面、並びに、外装筐体２内の底面２Ｇにより形成されるダクトＤ内をＸ方向先端側に流通する過程で、当該装置側コネクタ５５を冷却する。
【００４２】
図１４は、図１３の一部を拡大して示す図である。
以下、図１４を参照して、装置側コネクタ５５の冷却流路について説明する。
まず、開口部４７３１を介して光源収納部材４７内に導入された冷却空気は、図１４に示すように、光源装置５の収納体本体５４１に形成された一対の起立部５４１５，５４１６（起立部５４１６は図示省略）及び接続部５４１７により囲まれたコネクタ収納部５４１４内を、例えば、矢印Ｅ１〜Ｅ３に沿って流通する。これら一対の起立部５４１５，５４１６及び接続部５４１７のＸ方向基端側の端部は、前述のように、開口部４７３１端縁に近接配置されるので、これら起立部５４１５，５４１６及び接続部５４１７がダクトＤの一部を形成することにより、装置側コネクタ５５に沿って冷却空気が流通する。
【００４３】
具体的に、図１４における矢印Ｅ１で示すように、開口部４７３１のＹ方向先端側から導入される冷却空気は、コネクタ収納部５４１４内に流入した際に、接続部５４１７の面に沿って進行方向が緩やかにＹ方向基端側に変換され、収納体本体５４１の端面５４１Ｃと、間隔保持部５４１８との間の空隙ＧＡを流通する。そして、この冷却空気は、装置側コネクタ５５の背面側（Ｘ方向先端側）、及び、収納体本体５４１の端面５４１Ｃを冷却する。
【００４４】
開口部４７３１のＹ方向略中央から導入される冷却空気は、矢印Ｅ２で示すように、装置側コネクタ５５の周囲に沿って流通し、当該装置側コネクタ５５を冷却する。
開口部４７３１のＹ方向基端側から導入される冷却空気は、矢印Ｅ３で示すように、光源収納部材４７の外側（凹部４７１５に囲まれた領域）に位置する本体側コネクタ２３を冷却しつつ開口部４７３１内に流入し、当該本体側コネクタ２３に嵌合された装置側コネクタ５５を冷却する。
【００４５】
矢印Ｅ１〜Ｅ３に沿って流通し、装置側コネクタ５５を冷却した冷却空気は、端面５４１Ｂ、突出部４７１４、底面部４７１、起立部４７２（図１２〜図１４では図示省略）及びリブ４７１２Ｂにより囲まれた空間内に流入する。この空気は、Ｘ方向先端側及びＹ方向基端側に向かって、矢印Ｅ４に沿って流通する。
そして、当該冷却空気は、端面５４１Ｂに代えて延出部５４３２と、突出部４７１４、底面部４７１、起立部４７２及びリブ４７１２Ｂとにより囲まれた空間内を、Ｘ方向先端側に向かって、矢印Ｅ５に沿って流通する。
【００４６】
矢印Ｅ５に沿って流通した冷却空気は、側面視略逆Ｌ字状に形成された屈曲部４７１３、起立部４７２及び底面２Ｇにより囲まれた空間内に流入する。ここで、屈曲部４７１３のＹ方向先端側の端面は、Ｘ方向先端側に向かうに従ってＹ方向先端側に傾斜するように形成されている。そして、当該端面の傾斜方向は、ファン６４の吸気面略中央に向かう方向に設定されている。このため、冷却空気は、ファン６４により吸引されて、Ｘ方向先端側及びＹ方向先端側に向かって、矢印Ｅ６に沿って流通する。そして、当該冷却空気は、ファン６４により、開口部４７４１を介して光源収納部材４７外部に排出される。
なお、屈曲部４７１３の傾斜により、ダクトＤ内の断面積は、当該屈曲部４７１３のＸ方向基端側より、Ｘ方向先端側の方が大きくなっている。このため、ダクトＤ内を流通する空気を、ファン６４が効率よく吸引することができる。従って、ダクトＤ内の冷却空気の滞留を防ぎ、当該冷却空気の流通を促進することができる。
【００４７】
以上説明した本実施形態のプロジェクタ１によれば、以下の効果がある。
（１）収納体５４及び光源収納部材４７によりダクトＤが形成され、ファン６４が駆動すると、冷却空気が開口部４７３１を介してダクトＤ内に流入し、ダクトＤ内の装置側コネクタ５５に送風される。これによれば、装置側コネクタ５５に温度が低い冷却空気を積極的に送風することができるので、当該装置側コネクタ５５を適切に冷却することができる。また、このダクトＤにより形成される冷却空気の流路は、収納体本体５４１内に導入され、かつ、光源ランプ５０を冷却する冷却空気の流路とは別に形成されている。これによれば、当該光源ランプ５０を冷却して熱せられた冷却空気が装置側コネクタ５５に送風されることがないので、一層温度の低い冷却空気を装置側コネクタ５５に送風することができる。従って、装置側コネクタ５５を確実かつ適切に冷却することができる。
【００４８】
（２）装置側コネクタ５５は、一対の起立部５４１５，５４１６及び接続部５４１７により囲まれるコネクタ収納部５４１４内に配置される。これら一対の起立部５４１５，５４１６及び接続部５４１７は、開口部４７３１の端縁を囲むように当該開口部４７３１に近接配置される。これによれば、開口部４７３１から導入された冷却空気を、確実にコネクタ収納部５４１４に流通させることができる。従って、装置側コネクタ５５に確実に冷却空気を送風することができ、当該装置側コネクタ５５の冷却効率を向上することができる。
【００４９】
（３）収納体本体５４１の端面５４１Ｃと、装置側コネクタ５５との間には、間隔保持部５４１８により、空隙ＧＡが形成されている。この空隙ＧＡには、開口部４７３１から導入された冷却空気の一部が、Ｙ方向先端側から基端側に向かって流通する。これによれば、装置側コネクタ５５の外部に露出した面（Ｘ方向基端側の面）側だけでなく、端面５４１Ｃに対向する面（Ｘ方向先端側の面）側を冷却することができる。従って、装置側コネクタ５５の冷却効率を一層向上することができる。
【００５０】
また、光源ランプ５０の点灯時の熱により、収納体５４には熱が伝導される。特に、反射鏡５２がコールドミラーで構成されているため、発光管５１から射出される光のうち、紫外線及び赤外線が反射鏡５２を透過して収納体５４に入射するため、収納体５４は一層高温となる。このような収納体５４の熱は、装置側コネクタ５５の温度上昇を招く一因となる。これに対し、端面５４１Ｃと装置側コネクタ５５との間の空隙ＧＡにより、収納体５４の熱が装置側コネクタ５５に伝導しづらくなるので、装置側コネクタ５５の温度上昇を抑制することができる。
【００５１】
（４）装置側コネクタ５５を冷却する冷却空気は、開口部４７３１から導入され、開口部４７４１を介してファン６４により吸引される。すなわち、開口部４７３１から導入された冷却空気は、Ｙ方向基端側に流通した後、Ｘ方向基端側から先端側に流通する。これによれば、冷却空気の流路が複雑に曲折する場合に比べ、光源収納部材４７及び収納体５４により形成されるダクトＤ内に冷却空気が滞留することを抑制することができる。従って、冷却空気を効率よく流通させることができ、装置側コネクタ５５を効果的に冷却することができる。
【００５２】
（５）ダクトＤ内に冷却空気を流通させるファン６４は、吸気面を開口部４７４１に対向させるようにして、開口部４７３１が形成された側とは光源装置５を挟んで反対側に設けられている。これによれば、開口部４７３１から開口部４７４１に向かって滞留することなく、冷却空気を円滑に流通させることができる。従って、当該冷却空気の流路上に位置する装置側コネクタ５５に、確実に冷却空気を送風することができ、当該装置側コネクタ５５の冷却効率をより一層向上することができる。
【００５３】
〔実施形態の変形〕
本発明は前述の実施形態に限定されるものではなく、本発明の目的を達成できる範囲での変形、改良等は本発明に含まれるものである。
前記実施形態では、光源収納部材４７及び収納体５４により、冷却空気が流通するダクトＤが形成されるとしたが、本発明はこれに限らない。すなわち、光源収納部材４７及び収納体５４のいずれか一方により、ダクトを構成してもよい。例えば、起立部５４１５，５４１６をＸ方向先端側に向かって延出させ、当該起立部５４１５，５４１６のそれぞれの起立方向先端側の端部間を接続すれば、装置側コネクタ５５が内部に配置されるダクトを形成することができる。
【００５４】
前記実施形態では、装置側コネクタ５５は、一対の起立部５４１５，５４１６及び接続部５４１７により囲まれるコネクタ収納部５４１４内に配置されるとしたが、本発明はこれに限らない。すなわち、開口部４７３１から導入される冷却空気の流路上に配置されていれば、装置側コネクタ５５の位置は問わない。
【００５５】
前記実施形態では、収納部本体５４１のＸ方向基端側の端面５４１Ｃと、装置側コネクタ５５との間には、間隔保持部５４１８の貫通孔５４１８１により空隙ＧＡが形成され、当該空隙ＧＡを冷却空気の一部が流通するとしたが、本発明はこれに限らない。すなわち、このような空隙を形成せずに、当該端面５４１Ｃに装置側コネクタ５５を直接取り付けてもよい。
【００５６】
前記実施形態では、装置側コネクタ５５を冷却する冷却空気は、Ｘ方向基端側から先端側に向かって流通するとしたが、本発明はこれに限らない。すなわち、装置側コネクタ５５に冷却空気が送風されればよく、当該冷却空気の流通方向は問わない。例えば、Ｚ方向基端側に冷却ファンを設け、当該冷却ファンの駆動により、開口部４７３１から導入された冷却空気が、装置側コネクタ５５に沿って流通した後、Ｚ方向基端側に流通するように構成してもよい。
【００５７】
前記実施形態では、開口部４７３１とは光源装置５を挟んで反対側にファン６４が設けられるとしたが、本発明はこれに限らない。すなわち、送風口が開口部４７３１に対向するようにファンを設けてもよい。また、冷却ファンとして、軸流ファンにより構成されたファン６４を挙げたが、本発明はこれに限らず、シロッコファンで構成してもよい。
【００５８】
前記実施形態では、装置側コネクタ５５が接続される本体側コネクタ２３は、光源収納部材４７に形成された凹部４７１５内に配置されるとしたが、本発明はこれに限らない。すなわち、光源装置５の交換時に、装置側コネクタ５５が光源収納部材４７に干渉しない位置であれば、本体側コネクタ２３の位置は問わない。
【００５９】
前記実施形態では、プロジェクタ１は、３つの液晶パネル４４２Ｒ，４４２Ｇ，４４２Ｂを備えるとしたが、本発明はこれに限らない。すなわち、２つ以下、あるいは、４つ以上の液晶パネルを用いたプロジェクタにも、本発明を適用可能である。
前記実施形態では、光学ユニット４は平面視略Ｌ字形状を有した構成を説明したが、これに限らず、例えば、平面視略Ｕ字形状を有した構成を採用してもよい。
前記実施形態では、光束入射面と光束射出面とが異なる透過型の液晶パネル４４２を用いていたが、光入射面と光射出面とが同一となる反射型の液晶パネルを用いてもよく、マイクロミラーを用いたデバイスなど、液晶以外の光変調装置を採用してもよい。
【産業上の利用可能性】
【００６０】
本発明は、プロジェクタに好適に利用することができる。
【図面の簡単な説明】
【００６１】
【図１】本発明の一実施形態に係るプロジェクタを前面側から見た斜視図。
【図２】前記実施形態における外装筐体内の構成を示す模式図。
【図３】前記実施形態における光源装置を示す斜視図。
【図４】前記実施形態における光源装置を示す斜視図。
【図５】前記実施形態における光源装置を示す斜視図。
【図６】前記実施形態におけるコネクタ収納部を拡大して示す斜視図。
【図７】前記実施形態におけるコネクタ収納部の一部を破断させて示す斜視図。
【図８】前記実施形態における光源収納部材を示す斜視図。
【図９】前記実施形態における光源収納部材を示す斜視図。
【図１０】前記実施形態における光源収納部材を示す平面図。
【図１１】前記実施形態における開口部と装置側コネクタとの位置を示す斜視図。
【図１２】前記実施形態における光源収納部材と光源装置との位置関係を示す図。
【図１３】前記実施形態における光源収納部材と光源装置との位置関係を示す図。
【図１４】図１３の一部を拡大して示す図。
【符号の説明】
【００６２】
１…プロジェクタ、２…外装筐体（筐体）、５…光源装置、４７…光源収納部材（光源収納部）、５０…光源ランプ、５４…収納体、５５…コネクタ、６４…ファン（冷却ファン）、４７１…底面部、４７２…起立部（第２の起立部）、４７３…起立部（第１の起立部）、４７３１…開口部、５４１５，５４１６…起立部（突出部）、５４１７…接続部（突出部）、ＧＡ…空隙。
【図１】
2010038975.tif 000003
【図２】
2010038975.tif 000004
【図３】
2010038975.tif 000005
【図４】
2010038975.tif 000006
【図５】
2010038975.tif 000007
【図６】
2010038975.tif 000008
【図７】
2010038975.tif 000009
【図８】
2010038975.tif 000010
【図９】
2010038975.tif 000011
【図１０】
2010038975.tif 000012
【図１１】
2010038975.tif 000013
【図１２】
2010038975.tif 000014
【図１３】
2010038975.tif 000015
【図１４】
2010038975.tif 000016